(57)【要約】【課題】  本発明は、従来にない作用効果を発揮する画期的な収納装置を提供することを目的とする。【解決手段】  収納本体１の出し入れ開口部２に扉構造３を設けた収納装置であって、前記扉構造３は、前記出し入れ開口部２の開口縁部に形成されたガイド部４に扉体５をスライド移動自在に設けて構成されており、扉体５をスライド移動させて出し入れ開口部２を閉塞状態とした際、該扉体５の閉塞状態を保持する構造の付勢体７が前記ガイド部４に設けられたものである。【選択図】      図９
2005133517.tif 000002
【特許請求の範囲】
【請求項１】
収納本体の出し入れ開口部に扉構造を設けた収納装置であって、前記扉構造は、前記出し入れ開口部の開口縁部に形成されたガイド部に扉体をスライド移動自在に設けて構成されており、扉体をスライド移動させて出し入れ開口部を閉塞状態とした際、該扉体の閉塞状態を保持する下記構造の付勢体が前記ガイド部に設けられていることを特徴とする収納装置。
記
付勢体は、一端部はガイド部４に設けられ、この一端部には傾斜部が連設され、この傾斜部には連設部を介して押さえ部が設けられ、この押さえ部は扉体の閉塞状態において該扉体に設けた突部が当接する位置に設けられ、扉体を閉塞状態とする方向にスライド移動させた場合、該扉体に設けた突部が傾斜部に当接してスライド移動し、前記連設部を乗り越え、押さえ部と当接して扉体の閉塞状態が保持され、扉体を開放状態とする方向にスライド移動させた場合、前記押さえ部と当接している突部は、前記連設部を乗り越え、傾斜部をスライド移動するように構成された構造。
【請求項２】
請求項１記載の収納装置において、付勢体は扉体の上部をガイドする上部ガイド部の下向き面に設けられ且つ突起は扉体の上面に設けられる構成、及び、付勢体は扉体の下部をガイドする下部ガイド部の上向き面に設けられ且つ突起は扉体の下面に設けられる構成の、いずれか一方若しくは双方であることを特徴とする収納装置。
【請求項３】
収納本体の出し入れ開口部に扉構造を設けた収納装置であって、前記扉構造は、前記出し入れ開口部の開口縁部に形成されたガイド部に扉体をスライド移動自在に設けて構成されており、扉体をスライド移動させて出し入れ開口部を閉塞状態とした際、該扉体の閉塞状態を保持する下記構造の付勢体が前記扉体に設けられていることを特徴とする収納装置。
記
付勢体は、一端部は扉体に設けられ、この一端部には傾斜部が連設され、この傾斜部には連設部を介して押さえ部が設けられ、この押さえ部は扉体の閉塞状態においてガイド部に設けた突部が当接する位置に設けられ、扉体を閉塞状態とする方向にスライド移動させた場合、ガイド部に設けた突部が傾斜部に当接してスライド移動し、前記連設部を乗り越え、押さえ部と当接して扉体の閉塞状態が保持され、扉体を開放状態とする方向にスライド移動させた場合、前記押さえ部と当接している突部は、前記連設部を乗り越え、傾斜部をスライド移動するように構成された構造。
【請求項４】
請求項３記載の収納装置において、付勢体は扉体の上面に設けられ且つ突起は扉体の上部をガイドする上部ガイド部の下向き面に設けられる構成、及び、付勢体は扉体の下面に設けられ且つ突起は扉体の下部をガイドする下部ガイド部の上向き面に設けられている構成の、いずれか一方若しくは双方であることを特徴とする収納装置。
【請求項５】
収納本体の出し入れ開口部に扉構造を設けた収納装置であって、前記扉構造は、前記出し入れ開口部の開口縁部に形成されたガイド部に扉体をスライド移動自在に設けて構成されており、扉体をスライド移動させて出し入れ開口部を開放状態とした際、該扉体の開放状態を保持する下記構造の付勢体が前記ガイド部に設けられていることを特徴とする収納装置。
記
付勢体は、一端部はガイド部に設けられ、この一端部には傾斜部が連設され、この傾斜部には連設部を介して押さえ部が設けられ、この押さえ部は扉体の開放状態において該扉体に設けた突部が当接する位置に設けられ、扉体を開放状態とする方向にスライド移動させた場合、該扉体に設けた突部が傾斜部に当接してスライド移動し、前記連設部を乗り越え、押さえ部と当接して扉体の開放状態が保持され、扉体を閉塞状態とする方向にスライド移動させた場合、前記押さえ部と当接している突部は、前記連設部を乗り越え、傾斜部をスライド移動するように構成された構造。
【請求項６】
請求項５記載の収納装置において、付勢体は扉体の上部をガイドする上部ガイド部の下向き面に設けられ且つ突起は扉体の上面に設けられる構成、及び、付勢体は扉体の下部をガイドする下部ガイド部の上向き面に設けられ且つ突起は扉体の下面に設けられている構成の、いずれか一方若しくは双方であることを特徴とする収納装置。
【請求項７】
収納本体の出し入れ開口部に扉構造を設けた収納装置であって、前記扉構造は、前記出し入れ開口部の開口縁部に形成されたガイド部に扉体をスライド移動自在に設けて構成されており、扉体をスライド移動させて出し入れ開口部を開放状態とした際、該扉体の開放状態を保持する下記構造の付勢体が前記扉体に設けられていることを特徴とする収納装置。
記
付勢体は、一端部は扉体に設けられ、この一端部には傾斜部が連設され、この傾斜部には連設部を介して押さえ部が設けられ、この押さえ部は扉体の開放状態においてガイド部に設けた突部が当接する位置に設けられ、扉体を開放状態とする方向にスライド移動させた場合、ガイド部に設けた突部が傾斜部に当接してスライド移動し、前記連設部を乗り越え、押さえ部と当接して扉体の開放状態が保持され、扉体を閉塞状態とする方向にスライド移動させた場合、前記押さえ部と当接している突部は、前記連設部を乗り越え、傾斜部をスライド移動するように構成された構造。
【請求項８】
請求項７記載の収納装置において、付勢体は扉体の上面に設けられ且つ突起は扉体の上部をガイドする上部ガイド部の下向き面に設けられる構成、及び、付勢体は扉体の下面に設けられ且つ突起は扉体の下部をガイドする下部ガイド部の上向き面に設けられている構成の、いずれか一方若しくは双方であることを特徴とする収納装置。
【請求項９】
請求項１〜８のいずれか１項に記載の収納装置において、前記付勢体として板状体を折り曲げ形成して付勢力が生じるように構成した付勢体を採用したことを特徴とする収納装置。
【請求項１０】
請求項１，２，５，６のいずれか１項に記載の収納装置において、前記扉体には、該扉体をスライド移動させる際、ガイド部に当接して扉体の揺動を防止する為の揺動防止部材が設けられ、この揺動防止部材に前記突部が設けられていることを特徴とする収納装置。
【発明の詳細な説明】
【技術分野】
【０００１】
本発明は、収納装置に関するものである。
【背景技術】
【０００２】
従来から、収納本体１の出し入れ開口部２に扉構造３を設けた収納装置、例えば物置（以下、従来例）が提案されており、この従来例に設けられる扉構造３としては、出し入れ開口部２の開口周縁部に形成されるガイド部４に扉体５をスライド移動自在に設けたスライド式の扉構造３が一般的である。尚、本実施例と同一構成部分には同一符号を付した。
【発明の開示】
【発明が解決しようとする課題】
【０００３】
ところで、この従来例は、扉体５の開閉を良好に行えるようにする目的から、扉体５のスライド端部５ａに車輪を設けるなどして該扉体５のスライドが円滑となるように種々の工夫が施されている。
【０００４】
ところが、従来例は、扉体５のスライドが円滑である為、扉体５を閉じた際、扉体５が出し入れ開口部２の開口側縁部に衝突して跳ねかえり、自然に開いた状態となってしまう場合があり、この他にも、例えば設置場所が若干傾斜していたり、或いは、扉体５の配設部位（ガイド部）の精度が出てなかった場合など、扉体５を閉めても自然に開いてしまう場合がある。
【０００５】
本出願人は、上述の問題点に着目し、従来にない作用効果を発揮する画期的な収納装置を発明した。
【課題を解決するための手段】
【０００６】
添付図面を参照して本発明の要旨を説明する。
【０００７】
収納本体１の出し入れ開口部２に扉構造３を設けた収納装置であって、前記扉構造３は、前記出し入れ開口部２の開口縁部に形成されたガイド部４に扉体５をスライド移動自在に設けて構成されており、扉体５をスライド移動させて出し入れ開口部２を閉塞状態とした際、該扉体５の閉塞状態を保持する下記構造の付勢体７が前記ガイド部４に設けられていることを特徴とする収納装置に係るものである。                                  
記
付勢体７は、一端部７ｄはガイド部４に設けられ、この一端部７ｄには傾斜部７ａが連設され、この傾斜部７ａには連設部７ｃを介して押さえ部７ｂが設けられ、この押さえ部７ｂは扉体５の閉塞状態において該扉体５に設けた突部６が当接する位置に設けられ、扉体５を閉塞状態とする方向にスライド移動させた場合、該扉体５に設けた突部６が傾斜部７ａに当接してスライド移動し、前記連設部７ｃを乗り越え、押さえ部７ｂと当接して扉体５の閉塞状態が保持され、扉体５を開放状態とする方向にスライド移動させた場合、前記押さえ部７ｂと当接している突部６は、前記連設部７ｃを乗り越え、傾斜部７ａをスライド移動するように構成された構造。
【０００８】
また、請求項１記載の収納装置において、付勢体７は扉体５の上部をガイドする上部ガイド部４の下向き面に設けられ且つ突起６は扉体５の上面に設けられる構成、及び、付勢体７は扉体５の下部をガイドする下部ガイド部４の上向き面に設けられ且つ突起６は扉体５の下面に設けられる構成の、いずれか一方若しくは双方であることを特徴とする収納装置に係るものである。
【０００９】
また、収納本体１の出し入れ開口部２に扉構造３を設けた収納装置であって、前記扉構造３は、前記出し入れ開口部２の開口縁部に形成されたガイド部４に扉体５をスライド移動自在に設けて構成されており、扉体５をスライド移動させて出し入れ開口部２を閉塞状態とした際、該扉体５の閉塞状態を保持する下記構造の付勢体７が前記扉体５に設けられていることを特徴とする収納装置に係るものである。                                
記
付勢体７は、一端部７ｄは扉体５に設けられ、この一端部７ｄには傾斜部７ａが連設され、この傾斜部７ａには連設部７ｃを介して押さえ部７ｂが設けられ、この押さえ部７ｂは扉体５の閉塞状態においてガイド部４に設けた突部６が当接する位置に設けられ、扉体５を閉塞状態とする方向にスライド移動させた場合、ガイド部４に設けた突部６が傾斜部７ａに当接してスライド移動し、前記連設部７ｃを乗り越え、押さえ部７ｂと当接して扉体５の閉塞状態が保持され、扉体５を開放状態とする方向にスライド移動させた場合、前記押さえ部７ｂと当接している突部６は、前記連設部７ｃを乗り越え、傾斜部７ａをスライド移動するように構成された構造。
【００１０】
また、請求項３記載の収納装置において、付勢体７は扉体５の上面に設けられ且つ突起６は扉体５の上部をガイドする上部ガイド部４の下向き面に設けられる構成、及び、付勢体７は扉体５の下面に設けられ且つ突起６は扉体５の下部をガイドする下部ガイド部４の上向き面に設けられている構成の、いずれか一方若しくは双方であることを特徴とする収納装置に係るものである。
【００１１】
また、収納本体１の出し入れ開口部２に扉構造３を設けた収納装置であって、前記扉構造３は、前記出し入れ開口部２の開口縁部に形成されたガイド部４に扉体５をスライド移動自在に設けて構成されており、扉体５をスライド移動させて出し入れ開口部２を開放状態とした際、該扉体５の開放状態を保持する下記構造の付勢体７が前記ガイド部４に設けられていることを特徴とする収納装置に係るものである。                            
記
付勢体７は、一端部７ｄはガイド部４に設けられ、この一端部７ｄには傾斜部７ａが連設され、この傾斜部７ａには連設部７ｃを介して押さえ部７ｂが設けられ、この押さえ部７ｂは扉体５の開放状態において該扉体５に設けた突部６が当接する位置に設けられ、扉体５を開放状態とする方向にスライド移動させた場合、該扉体５に設けた突部６が傾斜部７ａに当接してスライド移動し、前記連設部７ｃを乗り越え、押さえ部７ｂと当接して扉体５の開放状態が保持され、扉体５を閉塞状態とする方向にスライド移動させた場合、前記押さえ部７ｂと当接している突部６は、前記連設部７ｃを乗り越え、傾斜部７ａをスライド移動するように構成された構造。
【００１２】
また、請求項５記載の収納装置において、付勢体７は扉体５の上部をガイドする上部ガイド部４の下向き面に設けられ且つ突起６は扉体５の上面に設けられる構成、及び、付勢体７は扉体５の下部をガイドする下部ガイド部４の上向き面に設けられ且つ突起６は扉体５の下面に設けられている構成の、いずれか一方若しくは双方であることを特徴とする収納装置に係るものである。
【００１３】
また、収納本体１の出し入れ開口部２に扉構造３を設けた収納装置であって、前記扉構造３は、前記出し入れ開口部２の開口縁部に形成されたガイド部４に扉体５をスライド移動自在に設けて構成されており、扉体５をスライド移動させて出し入れ開口部２を開放状態とした際、該扉体５の開放状態を保持する下記構造の付勢体７が前記扉体５に設けられていることを特徴とする収納装置に係るものである。                                
記
付勢体７は、一端部７ｄは扉体５に設けられ、この一端部７ｄには傾斜部７ａが連設され、この傾斜部７ａには連設部７ｃを介して押さえ部７ｂが設けられ、この押さえ部７ｂは扉体５の開放状態においてガイド部４に設けた突部６が当接する位置に設けられ、扉体５を開放状態とする方向にスライド移動させた場合、ガイド部４に設けた突部６が傾斜部７ａに当接してスライド移動し、前記連設部７ｃを乗り越え、押さえ部７ｂと当接して扉体５の開放状態が保持され、扉体５を閉塞状態とする方向にスライド移動させた場合、前記押さえ部７ｂと当接している突部６は、前記連設部７ｃを乗り越え、傾斜部７ａをスライド移動するように構成された構造。
【００１４】
また、請求項７記載の収納装置において、付勢体７は扉体５の上面に設けられ且つ突起６は扉体５の上部をガイドする上部ガイド部４の下向き面に設けられる構成、及び、付勢体７は扉体５の下面に設けられ且つ突起６は扉体５の下部をガイドする下部ガイド部４の上向き面に設けられている構成の、いずれか一方若しくは双方であることを特徴とする収納装置に係るものである。
【００１５】
また、請求項１〜８のいずれか１項に記載の収納装置において、前記付勢体７として板状体を折り曲げ形成して付勢力が生じるように構成した付勢体７を採用したことを特徴とする収納装置に係るものである。
【００１６】
また、請求項１，２，５，６のいずれか１項に記載の収納装置において、前記扉体５には、該扉体５をスライド移動させる際、ガイド部４に当接して扉体５の揺動を防止する為の揺動防止部材８が設けられ、この揺動防止部材８に前記突部６が設けられていることを特徴とする収納装置に係るものである。
【発明の効果】
【００１７】
本発明は上述のように構成したから、前述した従来例と異なり、扉体の閉塞状態及び開放状態が確実に保持されることになるなど画期的な収納装置となる。
【発明を実施するための最良の形態】
【００１８】
好適と考える本発明の請求項１を、図面に基づいて作用効果を示して簡単に説明する。
【００１９】
本発明は、扉体５を閉塞状態とする方向にスライド移動させた場合、該扉体５に設けた突部６が図８に図示したように傾斜部７ａに当接してスライド移動し、連設部７ｃを乗り越え、図９に図示したように押さえ部７ｂと当接して扉体５の閉塞状態が保持されることになる。
【００２０】
従って、扉体５の閉塞状態は確実に保持されることになり、前述した従来例の問題点を確実に解消し得ることになる。
【実施例】
【００２１】
本発明の具体的な実施例について図面に基づいて説明する。
【００２２】
本実施例は、収納本体１の出し入れ開口部２に扉構造３を設けたものである。
【００２３】
尚、本実施例は、収納装置として庭などの屋外に設置される物置を採用しているが、これに限られるものでは無く、本実施例の特性を発揮する構成であれば適宜採用するものである。
【００２４】
以下、本実施例に係る構成各部について詳細な説明をする。
【００２５】
収納本体１は、図１，２に図示したように適宜な金属製のケース状体であり、天板１Ａ，底板１Ｂ，左右側板１Ｃ，１Ｄ及び背板１Ｅから成り、正面に収納物を出し入れする為の出し入れ開口部２が設けられている。符号１Ｆは仕切り板、１Ｇは補強桟である。
【００２６】
また、収納本体１は、その正面の出し入れ開口部２に扉構造３が設けられている。
【００２７】
この扉構造３は、収納本体１の正面開口部に配設される枠体９と、該枠体９内に配設される２枚の扉体５とで構成されている。
【００２８】
枠体９は、図２に図示したように適宜な金属製の方形枠状体であり、左右の支柱部材９ａ，９ｂの上端部間に上部架設部材９ｃを連結部材10を介して架設状態に連結するとともに、左右の支柱部材９ａ，９ｂの下端部間に下部架設部材９ｄを連結部材10を介して架設状態に連結して構成されている。
【００２９】
この上部架設部材９ｃ及び下部架設部材９ｄは、夫々図２，３に図示したように長尺板材11の前後両端部を折り返して前後側壁部11ａ，11ｂが立設状態に形成され、この前後側壁部11ａ，11ｂの間にして長尺板材11の中央位置に仕切り壁部11ｃが立設状態に形成されており、この前後側壁部11ａ，11ｂと仕切り壁部11ｃとで扉体５を配設するための凹状のガイド部４が前後二箇所に形成されている。
【００３０】
また、上部架設部材９ｃは、図４に図示したように前後のガイド部４夫々の所定位置に後述する扉体５に設けられる突部６が係止する付勢体７が設けられている。
【００３１】
この付勢体７は、図３，４に図示したように適宜な金属製の板材を折り曲げ形成したものであり、その一端部７ｄを扉体５の上部をガイドする上部ガイド部４の下向き面に付設（溶接）し、他端部を下方へ向けて吊下げ状態に突設した遊離端に構成されている。
【００３２】
具体的には、付勢体７は、上部ガイド部４の下向き面に付設するための一端部７ｄと、この一端部７ｄから下方に折り曲げられて連設される傾斜部７ａと、この傾斜部７ａと連設部７ｃを介して連設される押さえ部７ｂとで構成されており、傾斜部７ａ及び押さえ部７ｂの上部ガイド部４側への押込み力に対する反発弾性力（付勢力）が生じるように構成されている。
【００３３】
扉体５は、図１，２に図示したように適宜な金属製の部材を中空板状に形成したものであり、その上下端部が前述した枠体９の上部ガイド部４及び下部ガイド部４にスライド移動自在に配設されるように構成されている。
【００３４】
また、扉体５は、夫々その上面５ａに揺動防止部材８が設けられている。
【００３５】
この揺動防止部材８は、図５に図示したように適宜な合成樹脂製の部材を、その直径が扉体５の巾（図７中のＬ）以上の円形板状に成形したものであり、その下面中央部には扉体５の上面５ａに貫通形成された貫通孔５ｂに嵌着し得る嵌着部８ａが一体成形されている。
【００３６】
この揺動防止部材８は、扉体５をスライド移動させた際、その周部にして扉体５の前後面から突出する部位がガイド部４に係る仕切り壁部11cに当接することで扉体５の揺動を防止し得るように構成されている（図７参照）。
【００３７】
また、揺動防止部材８は、図６に図示したようにその上面中央部に突部６が一体成形されており、この突部６は、扉体５を閉塞状態とする方向にスライド移動させた場合、傾斜部７ａに当接してスライド移動して連設部７ｃを乗り越え、扉体５が閉塞状態となった時点で押さえ部７ｂの途中位置で停止するように構成されている。
【００３８】
本実施例は、付勢体７と突部６を上（上部ガイド部４と扉体５の上面）に設けた場合であるが、下（下部ガイド部４と扉体５の下面）に設けても良く、双方に設けても良い。尚、扉体５が上下にスライド移動する構造の場合は、該扉体５の側面及び側部ガイド部４に付勢体７と突部６を設けるものである。
【００３９】
図１０に図示したように、本実施例とは反対にガイド部４に突部６を設け、扉体５に付勢体７を設けるようにしても良い。
【００４０】
また、付勢体７及び突部６の取付け位置を２枚の扉体５を閉塞した状態における重合部寄り（図１中Ｓで表示した近傍位置）に変えるだけで、扉体５を開放状態とする方向にスライド移動させた場合、扉体５の開放状態が保持されるようにしても良い。尚、この場合には付勢体７の取付け方向が図８，９の場合と逆向きになる。
【００４１】
符号12は車輪である。
【００４２】
本実施例は上述のように構成したから、扉体５を閉塞状態とする方向にスライド移動させた場合、該扉体５に設けた突部６が傾斜部７ａに当接してスライド移動して連設部７ｃを乗り越え、押さえ部７ｂと当接して扉体５の閉塞状態が保持されることになる（図８，９参照）。
【００４３】
よって、本実施例は、扉体５の閉塞状態は確実に保持されることになり、前述した従来例の問題点を確実に解消し得ることになる。
【００４４】
また、本実施例は、付勢体７として板状体を折り曲げ形成して付勢力が生じるように構成した付勢体７を採用したから、簡易構造故にコスト安にして量産性に秀れることになる。
【００４５】
また、本実施例は、扉体５の上面には、該扉体５をスライド移動させる際、ガイド部４に当接して扉体５の揺動を防止する為の既存の揺動防止部材８が設けられ、この揺動防止部材８に突部６を設けたから、この種の物品に従来から設けられる既存の揺動防止部材８に扉体５の閉塞状態を保持する機能を具備せしめることで極めて効率が良く、しかも、この点においてもコスト安にして量産性に秀れることになる。
【００４６】
また、本実施例は、揺動防止部材８及び突起６を適宜な合成樹脂製の部材を一体成形して構成したから、より一層コスト安にして量産性に秀れることになる。
【００４７】
尚、本発明は、本実施例に限られるものではなく、各構成要件の具体的構成は適宜設計し得るものである。
【図面の簡単な説明】
【００４８】
【図１】本実施例を示す斜視図である。
【図２】本実施例を示す分解斜視図である。
【図３】本実施例に係る要部を示す斜視図である。
【図４】本実施例に係る要部を示す斜視図である。
【図５】本実施例に係る要部を示す斜視図である。
【図６】本実施例に係る要部を示す斜視図である。
【図７】本実施例に係る要部の説明図である。
【図８】本実施例に係る要部の概略動作説明図である。
【図９】本実施例に係る要部の概略動作説明図である。
【図１０】本実施例に係る要部の概略動作説明図である。
【符号の説明】
【００４９】
１  収納本体
２  出し入れ開口部
３  扉構造
４  ガイド部
５  扉体
６  突部
７  付勢体
７ａ  傾斜部
７ｂ  押さえ部
７ｃ  連設部
７ｄ  一端部
８  揺動防止部材
【図１】
2005133517.tif 000003
【図２】
2005133517.tif 000004
【図３】
2005133517.tif 000005
【図４】
2005133517.tif 000006
【図５】
2005133517.tif 000007
【図６】
2005133517.tif 000008
【図７】
2005133517.tif 000009
【図８】
2005133517.tif 000010
【図９】
2005133517.tif 000011
【図１０】
2005133517.tif 000012